【手続補正書】
【提出日】平成28年9月8日(2016.9.8)
【手続補正１】
【補正対象書類名】特許請求の範囲
【補正対象項目名】全文
【補正方法】変更
【補正の内容】
【特許請求の範囲】
【請求項１】
関心ボリューム（ＶＯＩ）における１以上の代謝物質の濃度を検出する磁気共鳴（ＭＲ）システムであって、少なくとも１つのコントローラを有し、該コントローラが：
前記ＶＯＩに対して、第１及び第２の９０°ＲＦパルスと、第３の９０°ＲＦパルスと、第１及び第２の１８０°断熱パルスと、Ｃｒを目標とする中心周波数を持ち、複数（Ｎ）のブロックパルスを備えた複合デュアルバンド特注励起用章動交互遅延（ＤＡＮＴＥ）パルス列とを有する多量子フィルタ（ＭＱＦ）ポイント・リゾルブド分光法（ＰＲＥＳＳ）シーケンスを供給し、ここで、前記ＤＡＮＴＥパルス列は時間的に前記第１の９０°ＲＦパルスと前記第２の９０°ＲＦパルスとの間に位置する一方、前記第１及び第２の１８０°断熱パルスは時間的に前記第３の９０°ＲＦパルスの後に位置し、
前記ＶＯＩから放出されるＭＲ自由誘導減衰（ＦＩＤ）信号を検出し、
検出された前記ＭＲ ＦＩＤ信号を再生して代謝物質スペクトル情報を得る、
磁気共鳴システム。
【請求項２】
前記第１及び第２の９０°ＲＦパルスが、各々、非対称ＳＩＮＣ（Spredrex型）波形を有する、請求項１に記載のシステム。
【請求項３】
前記第３の９０°ＲＦパルスが、１２０Ｈｚの励起帯域幅でＳＩＮＣ型の波形を有する、請求項１に記載のシステム。
【請求項４】
前記第１及び第２の１８０°断熱パルスがoit_800_6500パルス型波形を有する、請求項１に記載のシステム。
【請求項５】
前記ＤＡＮＴＥパルス列が：
PD_tot＝１.０/ＢＷ；
Ｔ＝０.５/BW_side；
Ｎ＝PD_tot/Ｔ；
Flip＝２＊Flip_tot/Ｎ；
θ＝-４＊Ｔ＊BW_diff＊１８０°；
Phase_even＝(N/2-1)θ，(N/2-2)θ，…，θ，０°；及び
Odd_Pulse_phase＝０°
なるパラメータのうちの２以上により定義され、ここで、ＢＷは個々の帯域の励起帯域をＨｚで示し、PD_totはパルス合計持続時間であり、Ｔはブロックパルス間隔であり、BW_sideはＤＡＮＴＥパルスの側波帯を示し、Ｎはブロックパルスの合計数に対応する整数であり、Flipは各ブロックパルスのフリップ角であり、Flip_totは前記パルス列のフリップ角を示し、θは偶数パルスの位相ずれステップであり、BW_diffはデュアルバンドの距離を示し、Phase_evenは偶数パルスの位相であり、Odd_Pulse_phaseは各奇数パルスの位相を示す、
請求項１に記載のシステム。
【請求項６】
前記１以上の代謝物質のうちの選択された代謝物質がガンマ・アミノ酪酸（ＧＡＢＡ）である、請求項１に記載のシステム。
【請求項７】
前記コントローラが前記選択された代謝物質の濃度を前記代謝物質スペクトル情報に基づいて決定する、請求項６に記載のシステム。
【請求項８】
磁気共鳴分光法（ＭＲＳ）を用いて関心ボリューム（ＶＯＩ）における１以上の代謝物質の濃度を検出する方法であって、該方法はＭＲＳシステムのコントローラにより実行されると共に、
前記ＶＯＩに、第１及び第２の９０°ＲＦパルスと、第３の９０°ＲＦパルスと、第１及び第２の１８０°断熱パルスと、Ｃｒを目標とする中心周波数を持ち、複数（Ｎ）のブロックパルスを備えた複合デュアルバンド特注励起用章動交互遅延（ＤＡＮＴＥ）パルス列とを有する多量子フィルタ（ＭＱＦ）ポイント・リゾルブド分光法（ＰＲＥＳＳ）シーケンスを供給するステップであって、前記ＤＡＮＴＥパルス列が時間的に前記第１の９０°ＲＦパルスと前記第２の９０°ＲＦパルスとの間に位置する一方、前記第１及び第２の１８０°断熱パルスが時間的に前記第３の９０°ＲＦパルスの後に位置するステップと、
前記ＶＯＩから放出されるＭＲ自由誘導減衰（ＦＩＤ）信号を検出するステップと、
検出された前記ＭＲ ＦＩＤ信号を再生して、代謝物質スペクトル情報を得るステップと、
を有する、方法。
【請求項９】
前記第１及び第２の９０°ＲＦパルスが、各々、非対称ＳＩＮＣ（Spredrex型）波形を有する、請求項８に記載の方法。
【請求項１０】
前記第３の９０°ＲＦパルスがＳＩＮＣ型の波形を有する、請求項８に記載の方法。
【請求項１１】
前記第１及び第２の１８０°断熱パルスがoit_800_6500パルス型波形を有する、請求項８に記載の方法。
【請求項１２】
前記ＤＡＮＴＥパルス列が：
PD_tot＝１.０/ＢＷ；
Ｔ＝０.５/BW_side；
Ｎ＝PD_tot/Ｔ；
Flip＝２＊Flip_tot/Ｎ；
θ＝-４＊Ｔ＊BW_diff＊１８０°；
Phase_even＝(N/2-1)θ，(N/2-2)θ，…，θ，０°；及び
Odd_Pulse_phase＝０°
なるパラメータのうちの２以上により定義され、ここで、ＢＷは個々の帯域の励起帯域をＨｚで示し、PD_totはパルス合計持続時間であり、Ｔはブロックパルス間隔であり、BW_sideはＤＡＮＴＥパルスの側波帯を示し、Ｎはブロックパルスの合計数に対応する整数であり、Flipは各ブロックパルスのフリップ角であり、Flip_totは前記パルスのフリップ角を示し、θは偶数パルスの位相ずれステップであり、BW_diffはデュアルバンドの距離を示し、Phase_evenは偶数パルスの位相であり、Odd_Pulse_phaseは各奇数パルスの位相を示す、
請求項８に記載の方法。
【請求項１３】
前記１以上の代謝物質のうちの選択された代謝物質がガンマ・アミノ酪酸（ＧＡＢＡ）である、請求項８に記載の方法。
【請求項１４】
前記選択された代謝物質の濃度を前記代謝物質スペクトル情報に基づいて決定するステップを更に有する、請求項１３に記載の方法。
【請求項１５】
コンピュータ読取可能な非一時的メモリ上に記憶されたコンピュータプログラムであって、磁気共鳴分光法（ＭＲＳ）を用いて関心ボリューム（ＶＯＩ）における１以上の代謝物質の濃度を検出するためのものであり、該コンピュータプログラムが、
前記ＶＯＩに対して、第１及び第２の９０°ＲＦパルスと、第３の９０°ＲＦパルスと、第１及び第２の１８０°断熱パルスと、Ｃｒを目標とする中心周波数を持ち、複数（Ｎ）のブロックパルスを備えた複合デュアルバンド特注励起用章動交互遅延（ＤＡＮＴＥ）パルス列とを有する多量子フィルタ（ＭＱＦ）ポイント・リゾルブド分光法（ＰＲＥＳＳ）シーケンスを供給し、ここで、前記ＤＡＮＴＥパルス列は時間的に前記第１の９０°ＲＦパルスと前記第２の９０°ＲＦパルスとの間に位置する一方、前記第１及び第２の１８０°断熱パルスは時間的に前記第３の９０°ＲＦパルスの後に位置し、
前記ＶＯＩから放出されるＭＲ自由誘導減衰（ＦＩＤ）信号を検出し、
検出された前記ＭＲ ＦＩＤ信号を再生して代謝物質スペクトル情報を得る、
プログラム部分を有する、コンピュータプログラム。
【請求項１６】
前記プログラム部分が、更に、前記第１及び第２の９０°ＲＦパルスを非対称ＳＩＮＣ（Spredrex型）波形に従って形成する、請求項１５に記載のコンピュータプログラム。
【請求項１７】
前記プログラム部分が、更に、前記第３の９０°ＲＦパルスをＳＩＮＣ波形に従って形成する、請求項１５に記載のコンピュータプログラム。
【請求項１８】
前記プログラム部分が、更に、前記第１及び第２の１８０°断熱パルスをoit_800_6500パルス型波形に従って形成する、請求項１５に記載のコンピュータプログラム。
【請求項１９】
前記プログラム部分が、更に、前記ＤＡＮＴＥパルス列を：
PD_tot＝１.０/ＢＷ；
Ｔ＝０.５/BW_side；
Ｎ＝PD_tot/Ｔ；
Flip＝２＊Flip_tot/Ｎ；
θ＝-４＊Ｔ＊BW_diff＊１８０°；
Phase_even＝(N/2-1)θ，(N/2-2)θ，…，θ，０°；及び
Odd_Pulse_phase＝０°
なるパラメータのうちの２以上に従って形成し、ここで、ＢＷは個々の帯域の励起帯域をＨｚで示し、PD_totはパルス合計持続時間であり、Ｔはブロックパルス間隔であり、BW_sideはＤＡＮＴＥパルスの側波帯を示し、Ｎはブロックパルスの合計数に対応する整数であり、Flipは各ブロックパルスのフリップ角であり、Flip_totは前記パルス列のフリップ角を示し、θは偶数パルスの位相ずれステップであり、BW_diffはデュアルバンドの距離を示し、Phase_evenは偶数パルスの位相であり、Odd_Pulse_phaseは各奇数パルスの位相を示す、
請求項１５に記載のコンピュータプログラム。
【請求項２０】
前記プログラム部分が、更に、前記１以上の代謝物質のうちの選択された代謝物質の濃度を前記代謝物質スペクトル情報に基づいて決定し、該選択された代謝物質がガンマ・アミノ酪酸（ＧＡＢＡ）である、請求項１５に記載のコンピュータプログラム。